(57)【要約】      （修正有）【課題】湿度の増減が調節でき、異なる湿度環境に応じてそれぞれの湿度を調節する湿度調節システムを提供する。【解決手段】湿度調節システム１００は、周りの水蒸気と水を吸着し、或は霧化する複数の湿度調節装置１と、調節を介して湿度調節装置１へ給水する給水装置２と、湿度調節システム１００を制御する主制御装置３と、複数の湿度調節装置１と給水装置２と主制御装置３を接続する通信接続装置４と、複数の湿度調節装置１を制御して環境の湿度を調節する主制御装置３と通信する遠隔制御装置５とから構成される。【選択図】図１
2017020770.tif 000002
【特許請求の範囲】
【請求項１】
湿度を調節し、
複数の湿度調節環境に設置されて湿度調節装置の湿度を調節する対応制御機構を有する複数の前記湿度調節装置と、
給水管を介して複数の前記湿度調節装置と接続する給水装置と、
ネットワークを介して制御信号を受信し、主制御装置による前記複数の湿度調節装置の湿度を調節制御し、及び／或はネットワークを介して応答データを送信し、前記複数の湿度調節環境の湿度調節状態を伝えて応答する主制御装置ネットワークトランシーバを有する前記主制御装置と、
前記対応制御機構の間で、及び／或は前記主制御装置と前記複数の対応制御機構の間で、及び／或は前記給水装置と前記対応制御機構の間で接続する通信接続装置とを含み、
前記主制御装置が前記通信接続装置を介して前記対応制御機構と前記給水装置を制御し、前記給水装置が前記湿度調節装置へ湿度調節用の水を提供し、及び／或は前記湿度調節装置によって生じる水を収容することを特徴とする湿度調節システム。
【請求項２】
前記主制御装置ネットワークトランシーバと通信を行い、遠隔制御装置から前記主制御装置に制御信号を送り、或は前記主制御装置から前記応答データを受信する遠隔制御機構を有する前記遠隔制御装置を更に含めることを特徴とする請求項１に記載の湿度調節システム。
【請求項３】
前記給水装置が逆浸透膜濾過装置であり、逆浸透膜濾過装置が湿度調節装置へ湿度調節用の浄水を提供し、及び／或は前記湿度調節装置によって生じる水を収容することを特徴とする請求項１に記載の湿度調節システム。
【請求項４】
前記湿度調節装置が湿度調節環境の温度と湿度を検知するセンサーを有することを特徴とする請求項１に記載の湿度調節システム。
【請求項５】
前記遠隔制御装置から送信する前記制御信号が複数の湿度調節環境の各湿度の設定値を制御することを特徴とする請求項２に記載の湿度調節システム。
【請求項６】
前記遠隔制御装置に受信する応答データが各湿度調節環境の湿度データであることを特徴とする請求項２に記載の湿度調節システム。
【請求項７】
前記主制御装置が対応制御機構の通信を介して前記各対応制御機構の湿度を制御する対応制御管理機構を更に有することを特徴とする請求項１に記載の湿度調節システム。
【請求項８】
前記遠隔制御機構が無線ネットワーク通信で主制御装置ネットワークトランシーバと通信することを特徴とする請求項２に記載の湿度調節システム。
【請求項９】
前記給水装置が前記複数の湿度調節環境の設置点より高い位置に設置されることを特徴とする請求項１に記載の湿度調節システム。
【請求項１０】
前記通信接続装置がコントローラエリアネットワークのバスケーブルであることを特徴とする請求項１に記載の湿度調節システム。
【請求項１１】
前記湿度調節装置が前記給水装置から提供する水を収容するタンクを有し、独立の排水管を設置し、或はエアコンの管路と一緒に処理することを特徴とする請求項１に記載の湿度調節システム。
【発明の詳細な説明】
【技術分野】
【０００１】
本発明は、空調システムに関するもので、特に湿度調節システムに関する。
【背景技術】
【０００２】
気温が高いほど飽和湿度が高くなる。医学上空気の湿度と呼吸は密接な繋がりがある。相対湿度４５〜５５％の状態では、酸素が肺胞を通って、血液に入り易く、最も快適に感じる。高い気温と湿度は、体温を調節する発汗作用に影響し、蒸し暑く感じさせ、不快にさせる。湿度が足りない環境においては、皮膚に乾燥とかゆみを引き起こし、粘膜も刺激され易くなる。なお、空気の湿度は博物館、図書館、製造業、建築業と醸造業等にとっては非常に大切な問題である。湿度が高すぎる環境においては、キクイムシ、カビ、シロアリ、微生物等が繁殖し易くなる。湿度が足りない環境においては、物の含水率が少ないため、物の応力変化、脆化、ひびと彎曲等のダメージが生じる。
【０００３】
しかしながら、従来の空調システムにおいて、例えば中央空調システムであれば、湿度の調節を同時に行ったり、場合によっては増減の調節自体ができない。また、すべての空調域に対しての除湿制御が統一の設定であるため、各区域の異なる湿度の需要が満たすことが難しく、実用性に欠ける。
【発明の概要】
【０００４】
それ故、本発明の目的は、湿度の増減が調節でき、異なる湿度環境に応じてそれぞれの湿度を調節する湿度調節システムを提供することである。
【０００５】
従来の課題を解決するための手段は、複数の湿度調節環境に設置されて湿度調節装置の湿度を調節する対応制御機構を有する複数の前記湿度調節装置と、給水管を介して複数の前記湿度調節装置と接続する給水装置と、ネットワークを介して制御信号を受信し、主制御装置による前記複数の湿度調節装置の湿度を調節制御し、及び／或はネットワークを介して応答データを送信し、前記複数の湿度調節環境の湿度調節状態を伝えて応答する主制御装置ネットワークトランシーバを有する前記主制御装置と、前記対応制御機構の間で、及び／或は前記主制御装置と前記複数の対応制御機構の間で、及び／或は前記給水装置と前記対応制御機構の間で接続する通信接続装置とを含み、前記主制御装置が前記通信接続装置を介して前記対応制御機構と前記給水装置を制御し、前記給水装置が前記湿度調節装置へ湿度調節用の水を提供し、及び／或は前記湿度調節装置によって生じる水を収容することを特徴とする湿度調節システムを提供する。
【０００６】
本発明の実施例において、前記主制御装置ネットワークトランシーバと通信を行い、前記遠隔制御装置から前記主制御装置に制御信号を送り、或は前記主制御装置から前記応答データを受信する遠隔制御機構を有する前記遠隔制御装置を更に含めることを特徴とする湿度調節システムを提供する。
【０００７】
本発明の実施例において、前記給水装置が逆浸透膜濾過装置であり、逆浸透膜濾過装置が湿度調節装置へ湿度調節用の浄水を提供し、及び／或は前記湿度調節装置によって生じる水を収容することを特徴とする湿度調節システムを提供する。
【０００８】
本発明の実施例において、前記湿度調節装置が湿度調節環境の温度と湿度を検知するセンサーを有することを特徴とする湿度調節システムを提供する。
【０００９】
本発明の実施例において、前記遠隔制御装置から送信する前記制御信号が複数の湿度調節環境の各湿度の設定値を制御することを特徴とする湿度調節システムを提供する。
【００１０】
本発明の実施例において、前記遠隔制御装置に受信する応答データが各湿度調節環境の湿度データであることを特徴とする湿度調節システムを提供する。
【００１１】
本発明の実施例において、前記主制御装置が対応制御機構の通信を介して前記各対応制御機構の湿度を制御する対応制御管理機構を更に有することを特徴とする湿度調節システムを提供する。
【００１２】
本発明の実施例において、前記遠隔制御機構が無線ネットワーク通信で主制御装置ネットワークトランシーバと通信することを特徴とする湿度調節システムを提供する。
【００１３】
本発明の実施例において、前記給水装置が前記複数の湿度調節環境の設置点より高い位置に設置されることを特徴とする湿度調節システムを提供する。
【００１４】
本発明の実施例において、前記通信接続装置がコントローラエリアネットワークのバスケーブルであることを特徴とする湿度調節システムを提供する。
【００１５】
本発明の実施例において、前記湿度調節装置が前記給水装置から提供する水を収容するタンクを有し、独立の排水管を設置し、或はエアコンの管路と一緒に処理することを特徴とする湿度調節システムを提供する。
【００１６】
本発明に採用する技術であれば、本発明の湿度調節システムは、湿度調節装置で湿度の調節を増減でき、加湿と除湿との二つの機能を有し、別々に加湿器と除湿器を購入することの必要がないので、コストと設置の空間が節約できる。
【００１７】
また、本発明の湿度調節システムは、それぞれ違った湿度調節環境に対応して別々の湿度が調節でき、湿度センサーで湿度調節環境の湿度を自動的に感知することによって、湿度調節環境の湿度のそれぞれの需要に応じて湿度調節装置を加湿の状態と除湿の状態が切り替わり、各空調域が常に適切な湿度を保つことができる。
【００１８】
以下、実施例と図面を示して本発明に採用する具体的の実施例をより詳しく説明する。
【図面の簡単な説明】
【００１９】
【図１】本発明の実施例の湿度調節システムを使うことを示す図である。
【図２】本発明の実施例の湿度調節システムにおける湿度調節装置を示す斜視図である。
【図３】本発明の実施例の湿度調節システムにおける湿度調節装置のケースに入気と排気をすることを示す図である。
【発明を実施するための形態】
【００２０】
以下、図１と図２を以って、本発明の実施の形態を説明する。この説明は本発明の実施例の一つに過ぎず、これに限定されてはいない。
【００２１】
図１が示すような、本発明の実施例の湿度調節システム１００であれば、複数の湿度調節環境の中に設置し、湿度調節装置１と給水装置２と主制御装置３と通信接続装置４と遠隔制御装置５とを含める。
【００２２】
図２が示すように、前記湿度調節装置１が前記湿度調節装置１の湿度の調節を制御する対応制御機構１１を有し、複数の湿度調節環境の中に設置する。図１が示すように、一軒屋で五つの部屋に分けて、各部屋に前記湿度調節装置１を設置すれば、前記複数の湿度調節環境が各部屋に設けられることになる。また、建物の高い位置に前記給水装置２を設置し、前記給水装置２が給水管２１を介して前記複数の湿度調節装置１と接続する。一つの部屋に主制御装置ネットワークトランシーバ３１を有する前記主制御装置３を設置する。そして、インターネットケーブルである前記通信接続装置４を利用して全装置を接続する。前記主制御装置３が前記通信接続装置４を介して複数の前記湿度調節装置１の湿度の設定と前記給水装置２の給水の設定とを調節でき、同時に、前記主制御装置３が主制御装置ネットワークトランシーバ３１を介して遠隔制御装置５と無線ネットワーク通信し、遠隔制御装置５から前記主制御装置３へ制御信号を送信し、或は、前記主制御装置３から前記遠隔制御装置５に応答データを受信する。前記主制御装置３が制御パネルであり、前記遠隔制御装置５がスマートフォン或はタブレットであることが好ましい。
【００２３】
図２が示すように、本実施例において、前記湿度調節装置１が対応制御機構１１とケース１２と除湿ローター１３と放熱フィン１４と伝導ユニット１５と冷却ユニット１６とタンク１７と複数の霧化器１８とメインファン１９とを有する。前記対応制御機構１１が湿度調節装置１の給電ユニットである。前記除湿ローター１３が自転の方向に沿って自転して前記除湿ローター１３の周りの水蒸気と水を吸着する。前記放熱フィン１４が前記除湿ローター１３と熱的に接続し、前記除湿ローター１３と相対運動し、前記除湿ローター１３が吸着した周りの水蒸気と水を加熱して水蒸気として蒸発させる。前記伝導ユニット１５が蒸気導入口１５１と除湿導出口１５２とを有し、前記蒸気導入口１５１が放熱フィン１４と接続して水蒸気を導入する。冷却ユニット１６が前記除湿導出口１５２と接続し、導入した水蒸気を凝結させ、また収集して湿度調節環境の湿度を下げる。また、凝結した水をタンク１７へ導入する。前記タンク１７はサブファン１７１を有する。前記複数の霧化器１８がタンク１７の中に設置され、前記タンク１７の中の水を霧化して水蒸気を前記サブファン１７１によって前記湿度調節環境へ送り、前記湿度調節環境の湿度を上げる。前記メインファン１９が前記除湿ローター１３と前記冷却ユニット１６とを熱的に接続する。
【００２４】
図３が示すように、前記湿度調節装置１のケース１２のデザインがむき出し式と空気ホース式との二つの様式がある。むき出し式においては、ケース１２の底部に吸気口１２１と吹出口１２２が設置される。空気パイプ式においては、ケース１２の側面に吸気口１２１ａが設置され、ケース１２の正面に吹出口１２２ａが設置される。むき出し式のデザインは厳格な要件がない内装を持つ家庭環境に適合する。空気パイプ式のデザインは旅館や大型施設に適合し、このような場所は内装全体のデザインが壊されないように装置を空気パイプに設置することが要求される。
【００２５】
本実施例においては、細菌とほこりを空気へ蒸発させることを避けるため、前記給水装置２が逆浸透膜濾過装置であることが好ましい。前記逆浸透膜濾過装置が湿度調節装置１へ湿度調節用の浄水を提供し、及び／或は前記湿度調節装置１によって生じる水を収容する。もちろん、本発明はこれに限定されない。他の実施例において、この給水装置２が別の種類の浄水装置であることも可能である。なお、ある逆浸透膜濾過装置が給水の機能だけを有し、収容の機能がないため、この際に、独立の排水管を設置し、或はエアコンの管路と一緒に処理することが必要である。
【００２６】
本実施例においては、前記湿度調節装置１がセンサーを更に有し、前記センサーが前記湿度調節環境の気温と湿度を感知する。メインファン１９に入気面１９１を設置することも選択でき、前記湿度調節環境の気温と湿度をより精確に感知する。
【００２７】
本実施例においては、前記遠隔制御装置５から送信する前記制御信号が複数の湿度調節環境の各湿度の設定値を制御し、前記遠隔制御装置５が受信する前記応答データが各湿度調節環境の湿度データである。もちろん、本発明はこれに限定されない。他の実施例において、前記制御信号が複数の湿度調節環境の全体の湿度の設定値を制御することもでき、前記遠隔制御装置５が受信する前記応答データが複数の湿度調節環境の全体の湿度データであることも可能である。
【００２８】
本実施例において、前記主制御装置３が対応制御管理機構３２を更に有し、前記対応制御機構１１との通信を介して各前記対応制御機構１１の湿度を制御する。好ましくは、対応制御管理機構３２がＡＲＭ（登録商標）Ａ７のアーキテクチャのマルチコアとＡＲＭ（登録商標）Ｃｏｒｔｅｘ（登録商標）−Ｍ４のマイクロプロセッサによって構成され、そのオペレーティングシステムがＡｎｄｒｏｉｄ（登録商標）であり、各対応制御機構１１の主制御がＡｎｄｒｏｉｄ（登録商標）のプラットフォームで開発したアプリケーションによってユーザーインターフェースとして使用されることである。これによって、前記主制御装置３が前記通信接続装置４を介して前記複数の湿度調節装置１の湿度の設定と前記給水装置２の給水の設定が調節でき、即時にすべての装置をモニターしてエラーを通報する。また、無線ネットワーク通信とアプリケーションを利用して即時にすべての装置のファームウェアが更新できる。
【００２９】
本実施例においては、前記遠隔制御機構５１が無線ネットワーク通信で前記主制御装置ネットワークトランシーバ３１と通信する。本実施例において、この無線ネットワーク通信がＷｉ−Ｆｉ（登録商標）ネットワーク通信である。もちろん、本発明はこれに限定されない。他の実施例において、このネットワーク通信が他の種類の無線ネットワーク通信（例えば、ＺｉｇＢｅｅ（登録商標）、Ｂｌｕｅｔｏｏｔｈ（登録商標）等）であることも可能である。なお、ＵＳＢハードキー（ＵＳＢ  ドングル）を使用してその上に前記主制御装置ネットワークトランシーバ３１が設置され、無線ネットワーク通信の機能と前記主制御装置３とが分離される。これによって、無線ネットワーク通信の機能に対する各国の認証の申請をする必要がないため、製品の開発速度が速まる。
【００３０】
本実施例において、前記給水装置２が前記複数の湿度調節環境の設置点より高い位置に設置されることが好ましい。もちろん、本発明はこれに限定されない。他の実施例において、前記給水装置２が高い位置に設置されないことも可能であり、揚水機で前記湿度調節環境まで水を揚げる。
【００３１】
本実施例において、前記通信接続装置４がコントローラエリアネットワークのバスケーブルである。コントローラエリアネットワークのプロトコルが直列２線式差動通信であり、その特徴がネットワークでのマイコンと装置が直接互いに通信され、ネットワークに通信を制御するメインフレームを有する必要がない。
【００３２】
本実施例において、前記湿度調節装置１が前記給水装置２から提供する水を収容するタンク１７を有し、独立の排水管を設置し、或はエアコンの管路と一緒に処理する。前記タンク１７の中に設置する霧化器１８が超音波霧化ユニットである。好ましくは、前記タンク１７が紫外線の殺菌灯を有し、収容した水を徹底的に除菌して細菌とほこりが大気へ蒸発されることを避ける。
【００３３】
他の実施例において、前記湿度調節装置１が加湿の機能を消去することもできる。例えば、複数の霧化器１８とサブファン１７１とを削除し、前記給水装置２を取り除いて独立の排水管を設置し、或はエアコンの管路と共に処理する。前記湿度調節装置１が除湿装置になり、高温高湿の環境に適合する。
【００３４】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３５】
１００  湿度調節システム
１  湿度調節装置
１１  対応制御機構
１２  ケース
１２１、１２１ａ  吸気口
１２２、１２２ａ  吹出口
１３  除湿ローター
１４  放熱フィン
１５  伝導ユニット
１５１  蒸気導入口
１５２  除湿導出口
１６  冷却ユニット
１７  タンク
１７１  サブファン
１８  霧化器
１９  メインファン
１９１  入気面
２  給水装置
２１  給水管
３  主制御装置
３１  主制御装置ネットワークトランシーバ
３２  対応制御管理機構
４  通信接続装置
５  遠隔制御装置
５１  遠隔制御機構
【図１】
2017020770.tif 000003
【図２】
2017020770.tif 000004
【図３】
2017020770.tif 000005
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
湿度を調節する湿度調節システムであって、
複数の湿度調節環境に設置され、湿度の調節を制御する対応制御機構を有し、加湿と除湿をすることにより湿度を調節する複数の湿度調節装置と、
給水管を介して複数の前記湿度調節装置に連通する給水集水装置と、
ネットワークを介して制御信号を受信し、それぞれ前記複数の湿度調節装置の湿度を調節制御し、及び／或はネットワークを介して応答データを送信し、前記複数の湿度調節環境の湿度調節状態を伝えて応答する主制御装置ネットワークトランシーバを有する主制御装置と、
前記対応制御機構の間で、及び／或は前記主制御装置と前記複数の対応制御機構の間で、及び／或は前記給水集水装置と前記対応制御機構の間で接続する通信接続装置と、を含み、
前記主制御装置が前記通信接続装置を介して前記対応制御機構と前記給水集水装置を制御し、前記給水集水装置が前記湿度調節装置へ湿度調節用の水を提供し、且つ前記湿度調節装置によって生じる水を収容することを特徴とする湿度調節システム。
【請求項２】
前記主制御装置ネットワークトランシーバと通信を行い、遠隔制御装置から前記主制御装置に制御信号を送り、或は前記主制御装置から前記応答データを受信する遠隔制御機構を有する前記遠隔制御装置を更に含めることを特徴とする請求項１に記載の湿度調節システム。
【請求項３】
前記給水集水装置が逆浸透膜濾過装置であり、逆浸透膜濾過装置が湿度調節装置へ湿度調節用の浄水を提供し、及び／或は前記湿度調節装置によって生じる水を収容することを特徴とする請求項１に記載の湿度調節システム。
【請求項４】
前記湿度調節装置が湿度調節環境の温度と湿度を検知するセンサーを有することを特徴とする請求項１に記載の湿度調節システム。
【請求項５】
前記遠隔制御装置から送信する前記制御信号が複数の湿度調節環境の各湿度の設定値を制御することを特徴とする請求項２に記載の湿度調節システム。
【請求項６】
前記遠隔制御装置に受信する応答データが各湿度調節環境の湿度データであることを特徴とする請求項２に記載の湿度調節システム。
【請求項７】
前記主制御装置が前記通信接続装置を介して対応制御機構と通信することにより前記各対応制御機構の湿度を制御する対応制御管理機構を更に有することを特徴とする請求項１に記載の湿度調節システム。
【請求項８】
前記遠隔制御機構が無線ネットワーク通信で主制御装置ネットワークトランシーバと通信することを特徴とする請求項２に記載の湿度調節システム。
【請求項９】
前記給水集水装置が前記複数の湿度調節環境の設置点より高い位置に設置されることを特徴とする請求項１に記載の湿度調節システム。
【請求項１０】
前記通信接続装置がコントローラエリアネットワークのバスケーブルであることを特徴とする請求項１に記載の湿度調節システム。
【請求項１１】
前記湿度調節装置が前記給水集水装置から提供する水を収容するタンクを有し、独立した排水管が設置されることを特徴とする請求項１に記載の湿度調節システム。
【手続補正２】
【補正対象書類名】明細書
【補正対象項目名】全文
【補正方法】変更
【補正の内容】
【発明の詳細な説明】
【技術分野】
【０００１】
本発明は、空調システムに関するもので、特に湿度調節システムに関する。
【背景技術】
【０００２】
気温が高いほど飽和湿度が高くなる。医学上空気の湿度と呼吸は密接な繋がりがある。相対湿度４５〜５５％の状態では、酸素が肺胞を通って、血液に入り易く、最も快適に感じる。高い気温と湿度は、体温を調節する発汗作用に影響し、蒸し暑く感じさせ、不快にさせる。湿度が足りない環境においては、皮膚に乾燥とかゆみを引き起こし、粘膜も刺激され易くなる。なお、空気の湿度は博物館、図書館、製造業、建築業と醸造業等にとっては非常に大切な問題である。湿度が高すぎる環境においては、キクイムシ、カビ、シロアリ、微生物等が繁殖し易くなる。湿度が足りない環境においては、物の含水率が少ないため、物の応力変化、脆化、ひびと彎曲等のダメージが生じる。
【０００３】
しかしながら、従来の空調システムにおいて、例えば中央空調システムであれば、湿度の調節を同時に行ったり、場合によっては増減の調節自体ができない。また、すべての空調域に対しての除湿制御が統一の設定であるため、各区域の異なる湿度の需要が満たすことが難しく、実用性に欠ける。
【発明の概要】
【０００４】
それ故、本発明の目的は湿度の増減が調節でき、異なる湿度環境に応じてそれぞれの湿度を調節する湿度調節システムを提供することである。
【０００５】
従来の課題を解決するための手段は、湿度を調節する湿度調節システムであって、複数の湿度調節環境に設置され、湿度の調節を制御する対応制御機構を有し、加湿と除湿をすることにより湿度を調節する複数の湿度調節装置と、給水管を介して複数の前記湿度調節装置に連通する給水集水装置と、ネットワークを介して制御信号を受信し、それぞれ前記複数の湿度調節装置の湿度を調節制御し、及び／或はネットワークを介して応答データを送信し、前記複数の湿度調節環境の湿度調節状態を伝えて応答する主制御装置ネットワークトランシーバを有する主制御装置と、前記対応制御機構の間で、及び／或は前記主制御装置と前記複数の対応制御機構の間で、及び／或は前記給水集水装置と前記対応制御機構の間で接続する通信接続装置と、を含み、前記主制御装置が前記通信接続装置を介して前記対応制御機構と前記給水集水装置を制御し、前記給水集水装置が前記湿度調節装置へ湿度調節用の水を提供し、且つ前記湿度調節装置によって生じる水を収容することを特徴とする湿度調節システムを提供する。
【０００６】
本発明の実施例において、前記主制御装置ネットワークトランシーバと通信を行い、前記遠隔制御装置から前記主制御装置に制御信号を送り、或は前記主制御装置から前記応答データを受信する遠隔制御機構を有する前記遠隔制御装置を更に含めることを特徴とする湿度調節システムを提供する。
【０００７】
本発明の実施例において、前記給水集水装置が逆浸透膜濾過装置であり、逆浸透膜濾過装置が湿度調節装置へ湿度調節用の浄水を提供し、及び／或は前記湿度調節装置によって生じる水を収容することを特徴とする湿度調節システムを提供する。
【０００８】
本発明の実施例において、前記湿度調節装置が湿度調節環境の温度と湿度を検知するセンサーを有することを特徴とする湿度調節システムを提供する。
【０００９】
本発明の実施例において、前記遠隔制御装置から送信する前記制御信号が複数の湿度調節環境の各湿度の設定値を制御することを特徴とする湿度調節システムを提供する。
【００１０】
本発明の実施例において、前記遠隔制御装置に受信する応答データが各湿度調節環境の湿度データであることを特徴とする湿度調節システムを提供する。
【００１１】
本発明の実施例において、前記主制御装置が前記通信接続装置を介して対応制御機構と通信することにより前記各対応制御機構の湿度を制御する対応制御管理機構を更に有することを特徴とする湿度調節システムを提供する。
【００１２】
本発明の実施例において、前記遠隔制御機構が無線ネットワーク通信で主制御装置ネットワークトランシーバと通信することを特徴とする湿度調節システムを提供する。
【００１３】
本発明の実施例において、前記給水集水装置が前記複数の湿度調節環境の設置点より高い位置に設置されることを特徴とする湿度調節システムを提供する。
【００１４】
本発明の実施例において、前記通信接続装置がコントローラエリアネットワークのバスケーブルであることを特徴とする湿度調節システムを提供する。
【００１５】
本発明の実施例において、前記湿度調節装置が前記給水集水装置から提供する水を収容するタンクを有し、独立した排水管が設置されることを特徴とする湿度調節システムを提供する。
【００１６】
本発明に採用する技術であれば、本発明の湿度調節システムは湿度調節装置で湿度の調節を増減でき、加湿と除湿との二つの機能を有し、別々に加湿器と除湿器を購入することの必要がないので、コストと設置の空間が節約できる。
【００１７】
また、本発明の湿度調節システムはそれぞれ違った湿度調節環境に対応して別々の湿度が調節でき、湿度センサーで湿度調節環境の湿度を自動的に感知することによって、湿度調節環境の湿度のそれぞれの需要に応じて湿度調節装置を加湿の状態と除湿の状態が切り替わり、各空調域が常に適切な湿度を保つことができる。
【００１８】
以下、実施例と図面を示して本発明に採用する具体的の実施例をより詳しく説明する。
【図面の簡単な説明】
【００１９】
【図１】本発明の実施例の湿度調節システムを使うことを示す図である。
【図２】本発明の実施例の湿度調節システムにおける湿度調節装置を示す斜視図である。
【図３】本発明の実施例の湿度調節システムにおける湿度調節装置のケースに入気と排気をすることを示す図である。
【発明を実施するための形態】
【００２０】
以下、図１と図２を以って、本発明の実施の形態を説明する。この説明は本発明の実施例の一つに過ぎず、これに限定されてはいない。
【００２１】
図１が示すような、本発明の実施例の湿度調節システム１００であれば、複数の湿度調節環境の中に設置し、湿度調節装置１と給水集水装置２と主制御装置３と通信接続装置４と遠隔制御装置５とを含める。
【００２２】
図２が示すように、前記湿度調節装置１が前記湿度調節装置１の湿度の調節を制御する対応制御機構１１を有し、複数の湿度調節環境の中に設置する。図１が示すように、一軒屋で五つの部屋に分けて、各部屋に前記湿度調節装置１を設置すれば、前記複数の湿度調節環境が各部屋に設けられることになる。また、建物の高い位置に前記給水集水装置２を設置し、前記給水集水装置２が給水管２１を介して前記複数の湿度調節装置１と接続する。一つの部屋に主制御装置ネットワークトランシーバ３１を有する前記主制御装置３を設置する。そして、インターネットケーブルである前記通信接続装置４を利用して全装置を接続する。前記主制御装置３が前記通信接続装置４を介して複数の前記湿度調節装置１の湿度の設定と前記給水集水装置２の給水の設定とを調節でき、同時に、前記主制御装置３が主制御装置ネットワークトランシーバ３１を介して遠隔制御装置５と無線ネットワーク通信し、遠隔制御装置５から前記主制御装置３へ制御信号を送信し、或は、前記主制御装置３から前記遠隔制御装置５に応答データを受信する。前記主制御装置３が制御パネルであり、前記遠隔制御装置５がスマートフォン或はタブレットであることが好ましい。
【００２３】
図２が示すように、本実施例において、前記湿度調節装置１が対応制御機構１１とケース１２と除湿ローター１３と放熱フィン１４と伝導ユニット１５と冷却ユニット１６とタンク１７と複数の霧化器１８とメインファン１９とを有する。前記対応制御機構１１が湿度調節装置１の給電ユニットである。前記除湿ローター１３が自転の方向に沿って自転して前記除湿ローター１３の周りの水蒸気と水を吸着する。前記放熱フィン１４が前記除湿ローター１３と熱的に接続し、前記除湿ローター１３と相対運動し、前記除湿ローター１３が吸着した周りの水蒸気と水を加熱して水蒸気として蒸発させる。前記伝導ユニット１５が蒸気導入口１５１と除湿導出口１５２とを有し、前記蒸気導入口１５１が放熱フィン１４と接続して水蒸気を導入する。冷却ユニット１６が前記除湿導出口１５２と接続し、導入した水蒸気を凝結させ、また収集して湿度調節環境の湿度を下げる。また、凝結した水をタンク１７へ導入する。前記タンク１７はサブファン１７１を有する。前記複数の霧化器１８がタンク１７の中に設置され、前記タンク１７の中の水を霧化して水蒸気を前記サブファン１７１によって前記湿度調節環境へ送り、前記湿度調節環境の湿度を上げる。前記メインファン１９が前記除湿ローター１３と前記冷却ユニット１６とを熱的に接続する。
【００２４】
図３が示すように、前記湿度調節装置１のケース１２のデザインがむき出し式と空気ホース式との二つの様式がある。むき出し式においては、ケース１２の底部に吸気口１２１と吹出口１２２が設置される。空気パイプ式においては、ケース１２の側面に吸気口１２１ａが設置され、ケース１２の正面に吹出口１２２ａが設置される。むき出し式のデザインは厳格な要件がない内装を持つ家庭環境に適合する。空気パイプ式のデザインは旅館や大型施設に適合し、このような場所は内装全体のデザインが壊されないように装置を空気パイプに設置することが要求される。
【００２５】
本実施例においては、細菌とほこりを空気へ蒸発させることを避けるため、前記給水集水装置２が逆浸透膜濾過装置であることが好ましい。前記逆浸透膜濾過装置が湿度調節装置１へ湿度調節用の浄水を提供し、及び／或は前記湿度調節装置１によって生じる水を収容する。もちろん、本発明はこれに限定されない。他の実施例において、この給水集水装置２が別の種類の浄水装置であることも可能である。なお、ある逆浸透膜濾過装置が給水の機能だけを有し、収容の機能がないため、この際に、独立の排水管を設置し、或はエアコンの管路と一緒に処理することが必要である。
【００２６】
本実施例においては、前記湿度調節装置１がセンサーを更に有し、前記センサーが前記湿度調節環境の気温と湿度を感知する。メインファン１９に入気面１９１を設置することも選択でき、前記湿度調節環境の気温と湿度をより精確に感知する。
【００２７】
本実施例においては、前記遠隔制御装置５から送信する前記制御信号が複数の湿度調節環境の各湿度の設定値を制御し、前記遠隔制御装置５に受信する前記応答データが各湿度調節環境の湿度データである。もちろん、本発明はこれに限定されない。他の実施例において、前記制御信号が複数の湿度調節環境の全体の湿度の設定値を制御することもでき、前記遠隔制御装置５に受信する前記応答データが複数の湿度調節環境の全体の湿度データであることも可能である。
【００２８】
本実施例において、前記主制御装置３が対応制御管理機構３２を更に有し、前記対応制御機構１１との通信を介して各前記対応制御機構１１の湿度を制御する。好ましくは、対応制御管理機構３２がＡＲＭ（登録商標）  Ａ7のアーキテクチャのマルチコアとＡＲＭ（登録商標）  Ｃｏｒｔｅｘ（登録商標）−Ｍ４のマイクロプロセッサによって構成され、そのオペレーティングシステムがＡｎｄｒｏｉｄ（登録商標）であり、各対応制御機構１１の主制御がＡｎｄｒｏｉｄ（登録商標）のプラットフォームで開発したアプリケーションによってユーザーインターフェースとして使用されることである。これによって、前記主制御装置３が前記通信接続装置４を介して前記複数の湿度調節装置１の湿度の設定と前記給水集水装置２の給水の設定が調節でき、即時にすべての装置をモニターしてエラーを通報する。また、無線ネットワーク通信とアプリケーションを利用して即時にすべての装置のファームウェアが更新できる。
【００２９】
本実施例においては、前記遠隔制御機構５1が無線ネットワーク通信で前記主制御装置ネットワークトランシーバ３１と通信する。本実施例において、この無線ネットワーク通信がＷｉ−Ｆｉ（登録商標）ネットワーク通信である。もちろん、本発明はこれに限定されない。他の実施例において、このネットワーク通信が他の種類の無線ネットワーク通信（例えば、ＺｉｇＢｅｅ（登録商標）、Ｂｌｕｅｔｏｏｔｈ（登録商標）等）であることも可能である。なお、ＵＳＢハードキー（ＵＳＢ  ドングル）を使用してその上に前記主制御装置ネットワークトランシーバ３１が設置され、無線ネットワーク通信の機能と前記主制御装置３とが分離される。これによって、無線ネットワーク通信の機能に対する各国の認証の申請をする必要がないため、製品の開発速度が速まる。
【００３０】
本実施例において、前記給水集水装置２が前記複数の湿度調節環境の設置点より高い位置に設置されることが好ましい。もちろん、本発明はこれに限定されない。他の実施例において、前記給水集水装置２が高い位置に設置されないことも可能であり、揚水機で前記湿度調節環境に水を揚げる。
【００３１】
本実施例において、前記通信接続装置４がコントローラエリアネットワークのバスケーブルである。コントローラエリアネットワークのプロトコルが直列２線式差動通信であり、その特徴がネットワークでのマイコンと装置が直接互いに通信され、ネットワークに通信を制御するメインフレームを有する必要がない。
【００３２】
本実施例において、前記湿度調節装置１が前記給水集水装置２から提供する水を収容するタンク１７を有し、独立の排水管を設置し、或はエアコンの管路と一緒に処理する。前記タンク１７の中に設置する霧化器１８が超音波霧化ユニットである。好ましくは、前記タンク１７が紫外線の殺菌灯を有し、収容した水を徹底的に除菌して細菌とほこりが大気へ蒸発されることを避ける。
【００３３】
他の実施例において、前記湿度調節装置１が加湿の機能を消去することもできる。例えば、複数の霧化器１８とサブファン１７１とを削除し、前記給水集水装置２を取り除いて独立の排水管を設置し、或はエアコンの管路と共に処理する。前記湿度調節装置１が除湿装置になり、高温高湿の環境に適合する。
【００３４】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３５】
１００  湿度調節システム
１  湿度調節装置
１１  対応制御機構
１２  ケース
１２１、１２１ａ  吸気口
１２２、１２２ａ  吹出口
１３  除湿ローター
１４  放熱フィン
１５  伝導ユニット
１５１  蒸気導入口
１５２  除湿導出口
１６  冷却ユニット
１７  タンク
１７１  サブファン
１８  霧化器
１９  メインファン
１９１  入気面
２  給水集水装置
２１  給水管
３  主制御装置
３１  主制御装置ネットワークトランシーバ
３２  対応制御管理機構
４  通信接続装置
５  遠隔制御装置
５１  遠隔制御機構
【手続補正３】
【補正対象書類名】図面
【補正対象項目名】図１
【補正方法】変更
【補正の内容】
【図１】
2017020770.tif 000006